(57)【要約】【課題】周囲の音情報に基づいて、撮影条件を正確に設定できる撮影条件設定装置、カメラを提供する。【解決手段】交換レンズ１０及びカメラ２０は、撮影画角内の音情報を検出するマイク２４と、音情報と、撮影条件に関する情報である撮影パラメータとを対応付けて記憶するフォーカスポイント音源位置記憶部３３、撮影条件設定記憶部３４と、マイク２４の出力に基づいて音情報を解析する音情報解析部５１と、フォーカスポイント音源位置記憶部３３、撮影条件設定記憶部３４を参照し、音情報解析部５１が解析した音情報に対応付けられた撮影パラメータを読み出して、撮影条件を設定する撮影条件設定部５２と、を備える。【選択図】図１
2013178433.tif 000002
【特許請求の範囲】
【請求項１】
撮影画角内の音情報を検出する音情報検出部と、
音情報と、撮影条件に関する情報である撮影パラメータとを対応付けて記憶する撮影パラメータ記憶部と、
前記音情報検出部の出力に基づいて音情報を解析する音情報解析部と、
前記撮影パラメータ記憶部を参照し、前記音情報解析部が解析した音情報に対応付けられた前記撮影パラメータを読み出して、撮影条件を設定する撮影条件設定部と、
を備える撮影条件設定装置。
【請求項２】
請求項１に記載の撮影条件設定装置において、
前記撮影パラメータ記憶部は、前記音情報として周波数と、前記撮影パラメータとを関連付けて記憶し、
前記音情報解析部は、前記音情報検出部の出力に基づいて音情報の周波数を解析し、
前記撮影条件設定部は、前記撮影パラメータ記憶部を参照し、前記音情報解析部が解析した周波数に対応した前記撮影パラメータを読み出すこと、
を特徴とする撮影条件設定装置。
【請求項３】
請求項１又は請求項２に記載の撮影条件設定装置において、
前記撮影パラメータ記憶部は、前記音情報として音圧と、前記撮影パラメータとを関連付けて記憶し、
前記音情報解析部は、前記音情報検出部の出力に基づいて音情報の音圧を解析し、
前記撮影条件設定部は、前記撮影パラメータ記憶部を参照し、前記音情報解析部が解析した音圧に対応した前記撮影パラメータを読み出すこと、
を特徴とする撮影条件設定装置。
【請求項４】
請求項１から請求項３までのいずれか１項に記載の撮影条件設定装置において、
フォーカスレンズの位置に応じて、被写体距離を検出する被写体距離検出部を備え、
前記撮影パラメータ記憶部は、被写体距離と撮影パラメータとを対応付けて記憶し、
前記撮影条件設定部は、
前記撮影パラメータ記憶部を参照して、前記被写体距離検出部が検出した被写体距離に対応した前記撮影パラメータを読み出し、
前記被写体距離検出部の検出に基づいて読み出した前記撮影パラメータと、前記音情報検出部の検出に基づいて読み出した前記撮影パラメータとに基づいて、撮影条件を設定すること、
を特徴とする撮影条件設定装置。
【請求項５】
請求項１から請求項４までのいずれか１項に記載の撮影条件設定装置において、
前記音情報検出部は、前記撮影画角内の複数の位置からの音情報を検出し、
前記撮影パラメータ記憶部は、前記音情報として音源数と、前記撮影パラメータとを関連付けて記憶し、
前記音情報解析部は、前記音情報検出部の出力に基づいて音情報の音源数を解析し、
前記撮影条件設定部は、前記撮影パラメータ記憶部を参照し、前記音情報解析部が解析した音源数に対応した前記撮影パラメータを読み出すこと、
を特徴とする撮影条件設定装置。
【請求項６】
請求項１から請求項５までのいずれか１項に記載の撮影条件設定装置において、
前記撮影パラメータ記憶部は、前記音情報として音源位置と、前記撮影パラメータとして合焦位置とを関連付けて記憶し、
前記音情報解析部は、前記音情報検出部の出力に基づいて、撮影画角内の音源位置を解析し、
前記撮影条件設定部は、前記撮影パラメータ記憶部を参照し、前記音情報解析部が解析した音源位置に対応した合焦位置を読み出すこと、
を特徴とする撮影条件設定装置。
【請求項７】
請求項１から請求項６までのいずれか１項に記載の撮影条件設定装置を備えたカメラ。
【発明の詳細な説明】
【技術分野】
【０００１】
本発明は、撮影パラメータを設定する撮影条件設定装置、カメラに関するものである。
【背景技術】
【０００２】
従来、カメラの周囲の音圧を検出して、カメラの動作モードを、周囲環境に適したものに設定するカメラがあった（例えば特許文献１）。
しかし、従来のカメラは、動作音等を設定することが主な目的であり、絞り、シャッタスピード等の撮影条件を正確に設定できるものではなかった。
【先行技術文献】
【特許文献】
【０００３】
【特許文献１】特開平８−２２０６０９号公報
【発明の概要】
【発明が解決しようとする課題】
【０００４】
本発明の課題は、周囲の音情報に基づいて、撮影条件を正確に設定できる撮影条件設定装置、カメラを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
請求項１の発明は、撮影画角内の音情報を検出する音情報検出部（２４）と、音情報と、撮影条件に関する情報である撮影パラメータとを対応付けて記憶する撮影パラメータ記憶部（３３，３４）と、前記音情報検出部の出力に基づいて音情報を解析する音情報解析部（５１）と、前記撮影パラメータ記憶部を参照し、前記音情報解析部が解析した音情報に対応付けられた前記撮影パラメータを読み出して、撮影条件を設定する撮影条件設定部（５２）と、を備える撮影条件設定装置である。
請求項２の発明は、請求項１に記載の撮影条件設定装置において、前記撮影パラメータ記憶部（３４）は、前記音情報として周波数と、前記撮影パラメータとを関連付けて記憶し、前記音情報解析部（５１）は、前記音情報検出部（２４）の出力に基づいて音情報の周波数を解析し、前記撮影条件設定部（５２ａ，５２ｂ）は、前記撮影パラメータ記憶部を参照し、前記音情報解析部が解析した周波数に対応した前記撮影パラメータを読み出すこと、を特徴とする撮影条件設定装置である。
請求項３の発明は、請求項１又は請求項２に記載の撮影条件設定装置において、前記撮影パラメータ記憶部（３４）は、前記音情報として音圧と、前記撮影パラメータとを関連付けて記憶し、前記音情報解析部（５１）は、前記音情報検出部（２４）の出力に基づいて音情報の音圧を解析し、前記撮影条件設定部（５２ａ，５２ｂ）は、前記撮影パラメータ記憶部を参照し、前記音情報解析部が解析した音圧に対応した前記撮影パラメータを読み出すこと、を特徴とする撮影条件設定装置である。
請求項４の発明は、請求項１から請求項３までのいずれか１項に記載の撮影条件設定装置において、フォーカスレンズ（１１）の位置に応じて、被写体距離を検出する被写体距離検出部（１３）を備え、前記撮影パラメータ記憶部（３４）は、被写体距離と撮影パラメータとを対応付けて記憶し、前記撮影条件設定部（５２ａ，５２ｂ）は、前記撮影パラメータ記憶部を参照して、前記被写体距離検出部が検出した被写体距離に対応した前記撮影パラメータを読み出し、前記被写体距離検出部の検出に基づいて読み出した前記撮影パラメータと、前記音情報検出部（２４）の検出に基づいて読み出した前記撮影パラメータとに基づいて、撮影条件を設定すること、を特徴とする撮影条件設定装置である。
請求項５の発明は、請求項１から請求項４までのいずれか１項に記載の撮影条件設定装置において、前記音情報検出部（２４）は、前記撮影画角内の複数の位置からの音情報を検出し、前記撮影パラメータ記憶部（３４）は、前記音情報として音源数と、前記撮影パラメータとを関連付けて記憶し、前記音情報解析部（５１）は、前記音情報検出部の出力に基づいて音情報の音源数を解析し、前記撮影条件設定部（５２ａ，５２ｂ）は、前記撮影パラメータ記憶部を参照し、前記音情報解析部が解析した音源数に対応した前記撮影パラメータを読み出すこと、を特徴とする撮影条件設定装置である。
請求項６の発明は、請求項１から請求項５までのいずれか１項に記載の撮影条件設定装置において、前記撮影パラメータ記憶部（３３）は、前記音情報として音源位置（２２ｂ）と、前記撮影パラメータとして合焦位置（２２ａ）とを関連付けて記憶し、前記音情報解析部（５１）は、前記音情報検出部（２４）の出力に基づいて、撮影画角内の音源位置を解析し、前記撮影条件設定部（５２ａ，５２ｃ）は、前記撮影パラメータ記憶部を参照し、前記音情報解析部が解析した音源位置に対応した合焦位置を読み出すこと、を特徴とする撮影条件設定装置である。
【０００７】
請求項７の発明は、請求項１から請求項６までのいずれか１項に記載の撮影条件設定装置を備えたカメラ（２０）である。
【発明の効果】
【０００８】
本発明によれば、周囲の音情報に基づいて、撮影条件を正確に設定できる撮影条件設定装置、カメラを提供できる。
【図面の簡単な説明】
【０００９】
【図１】実施形態の交換レンズ１０及びカメラ２０の構成を説明する図である。
【図２】実施形態のファインダスクリーン２２を示す図である。
【図３】実施形態の撮影条件設定記憶部３４の設定テーブル４０の一部を示す図である。
【図４】実施形態の交換レンズ１０及びカメラ２０の動作を示すフローチャートである。
【発明を実施するための形態】
【００１０】
（実施形態）
以下、図面等を参照して、本発明の実施形態をあげて、さらに詳しく説明する。
図１は、実施形態の交換レンズ１０及びカメラ２０の構成を説明する図である。
図２は、実施形態のファインダスクリーン２２を示す図である。
図３は、実施形態の撮影条件設定記憶部３４の設定テーブル４０の一部を示す図である。
【００１１】
図１に示すように、実施形態の撮影システムは、交換レンズ１０及びカメラ２０によって構成される。
交換レンズ１０は、撮影光学系を構成するレンズ群を収容する。交換レンズ１０は、フォーカスレンズ１１、レンズ駆動モータ１２、被写体距離検出部１３、絞り１４を備える。
フォーカスレンズ１１は、焦点調節用のレンズである。フォーカスレンズ１１は、光軸Ｏに沿った方向に移動可能に、レンズ鏡筒に収容されている。フォーカスレンズ１１は、複数のレンズによって構成されていてもよい。
レンズ駆動モータ１２は、フォーカスレンズ１１を光軸方向に移動するモータである。レンズ駆動モータ１２は、例えば超音波モータ等である。レンズ駆動モータ１２の駆動力は、カム筒（図示せず）等を介して、フォーカスレンズ１１に伝達される。レンズ駆動モータ１２は、制御部５０（後述する）によって制御される。
【００１２】
被写体距離検出部１３は、フォーカスレンズ１１の位置に応じて、被写体距離を検出する検出部である。被写体距離検出部１３は、例えば、光軸Ｏに平行に設けられた可変抵抗器であり、フォーカスレンズ１１の位置に応じて、抵抗値が異なる。被写体距離検出部１３は、検出情報を制御部５０（後述する）に出力する。
絞り１４は、数枚の絞り羽根１４ａを用いて、被写体光の光量を増減するための部材である。絞り１４は、アクチュエータ等を備える絞り駆動部１４ｂによって駆動される。絞り駆動部１４ｂは、制御部５０（後述する）によって制御される。
【００１３】
カメラ２０は、ＡＦ（オートフォーカス）機能を有するデジタル一眼レフ（レフレックス）カメラである。カメラ２０は、交換レンズ１０がバヨネット結合等により着脱可能に装着される。カメラ２０及び交換レンズ１０は、電気接点（図示せず）により電気的に接続され、相互に情報伝達できる。
カメラ２０には、交換レンズ１０からの被写体光が導かれる。交換レンズ１０からの被写体光は、被写体観察時には、ミラー（図示せず）によってファインダスクリーン２２の方向に導かれ、一方、撮影動作時には、ミラー（図示せず）が撮影光路から退避することによって、撮像素子２７の方向に導かれる。
【００１４】
カメラ２０は、操作部２１、ファインダスクリーン２２、測光センサ２３、マイク２４、デフォーカス量検出部２５、シャッタ２６、撮像素子２７、記憶部３０、制御部５０を備える。
操作部２１は、撮影者がカメラ２０及び交換レンズ１０を操作するためのものである。操作部２１は、レリーズボタン２１ａ、ボタン、ダイヤル等を備える。
レリーズボタン２１ａは、撮影時等に操作するボタンである。レリーズボタン２１ａは、半押しされた場合と全押しされた場合とでは、異なる操作情報を制御部５０に出力する。
【００１５】
ファインダスクリーン２２は、被写体観察時に、ミラーによって導かれた被写体光が結像する部材である。ファインダスクリーン２２に結像した被写体像は、さらにファインダ光学系によって、撮影者に観察される。
図２に示すように、ファインダスクリーン２２は、９つのフォーカスポイント２２ａ（２２ａ−１〜２２ａ−９）を有している。フォーカスポイント２２ａは、撮影画角内の合焦位置を示す。合焦位置として定められたフォーカスポイント２２ａは、制御部５０の制御によって、点灯するようになっている。図２の場面は、太線で示すフォーカスポイント２２ａ−２が、点灯している場面である。
図１に示すように、測光センサ２３は、ファインダ光学系内に設けられた検出部である。測光センサ２３は、複数のＲＧＢセンサが配列された素子であり、ファインダ光学系に導かれた被写体像の輝度情報等を検出する。測光センサ２３は、検出情報を制御部５０に出力する。
【００１６】
マイク２４は、撮影画角内の音情報を検出する検出部である。マイク２４は、指向性が狭いものが用いられる。このため、マイク２４は、撮影画角内のどの領域が音源であるかを検出できる。マイク２４は、検出情報を制御部５０に出力する。
マイク２４は、マイク走査駆動部２４ａが設けられている。マイク走査駆動部２４ａは、マイク２４の向きを変更することにより、マイク２４が音を検出する向きを撮影画角内で変更するアクチュエータ等である。マイク走査駆動部２４ａは、制御部５０によって制御される。
これにより、マイク２４は、撮影画角内の複数の位置からの音情報を検出できる。
【００１７】
デフォーカス量検出部２５は、ミラー及びサブミラー（図示せず）によって導かれた被写体光束に基づいて、交換レンズ１０の撮影光学系の焦点調節状態を検出する焦点検出モジュールである。デフォーカス量検出部２５は、検出情報を制御部５０に出力する。
シャッタ２６は、レリーズボタン２１ａの操作に応じてシャッタ幕を走行させることにより、被写体光を撮像素子２７に導くフォーカルプレーンシャッタ等である。シャッタ２６は、アクチュエータ等を備えるシャッタ駆動部２６ａによって駆動される。シャッタ駆動部２６ａは、制御部５０によって制御される。
撮像素子２７は、露光時に結像された被写体像を電気信号に変換するものであり、例えば、ＣＣＤ、ＣＭＯＳ等の光電変換素子である。撮像素子２７は、制御部５０によって制御される。
【００１８】
記憶部３０は、カメラ２０及び交換レンズ１０の動作に必要なプログラム、情報等を記憶したり、撮像素子２７の撮像情報を記憶したり、処理時の一時記憶領域を有する半導体メモリ素子等の記憶装置である。
記憶部３０は、被写体距離記憶部３１、周波数情報記憶部３２、フォーカスポイント音源位置記憶部３３、撮影条件設定記憶部３４を備える。
被写体距離記憶部３１は、被写体距離検出部１３の出力情報に対応した被写体距離を記憶する記憶部である。被写体距離記憶部３１は、被写体距離検出部１３の出力帯域に対応して、「近い、中、遠い」の３通りの被写体距離を記憶する。
【００１９】
周波数情報記憶部３２は、周波数情報を記憶する記憶領域である。周波数情報記憶部３２は、人の声３２ａ、動物の鳴き声３２ｂ（犬、猫、鳥等）、乗り物３２ｃ（電車、自動車等）、スポーツ３２ｄ（テニス、ゴルフ等）、風の音３２ｅ等の各音情報の周波数情報を記憶する。
【００２０】
フォーカスポイント音源位置記憶部３３は、音源位置とフォーカスポイント２２ａとを関連付けて記憶する記憶領域である。
図２に示すように、フォーカスポイント音源位置記憶部３３は、撮影画角を９分割された各領域２２ｂ（２２ｂ−１〜２２ｂ−９）と、各フォーカスポイント２２ａ（２２ａ−１〜２２ａ−９）とを対応付けて記憶している。後述するように、撮影時には、撮影画角内の音源位置が各領域２２ｂのいずれにあるかが判断される。
【００２１】
撮影条件設定記憶部３４は、音情報と撮影パラメータとを関連付けて記憶する記憶部である。
図３に示すように、撮影条件設定記憶部３４は、設定テーブル４０の形態で情報を記憶する。この設定テーブル４０の情報は、例えば、カメラ２０の製造時に記憶される。
設定テーブル４０は、上段４１、中段４２、下段４３の各テープルから構成される。
【００２２】
上段４１は、行４１ａ〜４１ｄを有する。
行４１ａは、被写体距離検出部１３の出力に対応した被写体距離（近い、中、遠い）を格納する。行４１ｂは、音源数（１つ、２つ、複数）を格納する。行４１ｃは、周波数の解析結果（人、猫、電車等）を格納する。行４１ｄは、音圧の大きさ（大、中、小）を格納する。
そして、各列４４〜４９が、被写体距離、音源数、周波数解析（周波数の解析結果）、音圧の各組み合わせを記憶するようになっている。
例えば、列４４は、「被写体距離：近い」、「音源数：１つ」、「周波数解析：人」、「音圧：大」という組み合わせを記憶している。
【００２３】
中段４２は、上段４１の各列４４〜４９に対応して、撮影シーンを記憶している。図３の例では、各列４４〜４９に、撮影シーンとして「ポートレート」、「集合写真」、「風景」、「動物」、「乗り物」、「スポーツ」を記憶している。
下段４３は、中段４２の各列４４〜４９に対応して、撮影パラメータを記憶している。
下段４３は、撮影パラメータとして、フォーカスポイントの数（１点、２点、多点）、露出に関する情報（絞り優先、シャッタスピード優先）の組み合わせを記憶している。
【００２４】
以上のように、上段４１、中段４２、下段４３の各情報が、関連付けられて記憶される。これによって、上段４１の組み合わせの内容が、中段４２を介して、下段４３に対応付けて記憶される。
また、上段４１の個々の情報も、中段４２を介して、下段４３に対応付けて記憶されることになる。例えば、列４４では、「撮影距離：近い」、「音源数：１」、「周波数解析：人」、「音圧：大」という情報が、それぞれ、中段４２の「ポートレート」という情報を介して、下段４３の「撮影パラメータ：１点フォーカス、絞り優先」という情報に対応付けられる。
【００２５】
図１に示すように、制御部５０は、カメラ２０を統括的に制御するための制御装置であり、ＣＰＵ（中央処理装置）等から構成される。制御部５０は、記憶部３０に記憶された各種プログラムを適宜読み出して実行することにより、前述したハードウェアと協働し、本発明に係る各種機能を実現している。
制御部５０は、音情報解析部５１、撮影条件設定部５２を備える。
【００２６】
音情報解析部５１は、マイク２４の出力に基づいて音情報を解析する制御部である。音情報解析部５１は、マイク２４の出力に基づいて、音情報の周波数、音圧、音源数、音源位置を解析する。
撮影条件設定部５２は、音情報解析部５１の解析結果に基づいて、撮影条件を設定する制御部である。撮影条件設定部５２は、シーン判定部５２ａ、シャッタスピード絞り設定部５２ｂ、フォーカスポイント設定部５２ｃを備える。
【００２７】
シーン判定部５２ａは、音情報解析部５１の解析結果に基づいて、撮影シーンを判定する制御部である。
シャッタスピード絞り設定部５２ｂは、シーン判定部５２ａの判定結果に基づいて、撮影パラメータとして、露出（絞り値、シャッタスピード）を設定する制御部である。
フォーカスポイント設定部５２ｃは、撮影パラメータとして、フォーカスポイント２２ａ（図２参照）を選択、設定する制御部である。
各制御部の処理の詳細は、後述する。
【００２８】
図４は、実施形態の交換レンズ１０及びカメラ２０の動作を示すフローチャートである。
ステップＳ（以下単に「Ｓ」という）１において、撮影者がレリーズボタン２１ａを半押しにすると、制御部５０は、レリーズボタン２１ａからの出力に応じて、一連の処理を開始する。
Ｓ２において、制御部５０は、デフォーカス量検出部２５の出力に基づいて、デフォーカス量を算出し、フォーカスレンズ１１を光軸方向に駆動して、撮影光学系を合焦させる。なお、この時点では、制御部５０は、測光センサ２３の出力に基づいて背景及び前景を判別することにより被写体を判定し、その被写体に合焦させるようにＡＦ動作を行う。
被写体距離検出部１３は、フォーカスレンズ１１が移動すると、フォーカスレンズ１１の位置の検出情報を制御部５０に出力する。制御部５０は、被写体距離記憶部３１を参照して、被写体距離検出部１３の検出情報が、「遠い、中、近い」のうちいずれであるかを判定する。
【００２９】
Ｓ３において、制御部５０は、マイク走査駆動部２４ａを駆動して、撮影画角内でマイク２４を走査して、撮影画角内の音情報を取得する。
Ｓ４において、音情報解析部５１は、Ｓ３で取得した音情報に基づいて、撮影画角内の音源を判定する。この場合、音情報解析部５１は、撮影画角内のうち閾値以上の音圧が発生する部分を、音源として判定する。
Ｓ５において、音情報解析部５１は、Ｓ４の閾値以上の音源の数を計数することにより、撮影画角内の音源数を判定する。
【００３０】
Ｓ６において、音情報解析部５１は、Ｓ３で取得した音情報を周波数解析する。音情報解析部５１は、例えば、音情報をフーリエ解析して、音情報に含まれる周波数の情報を取得する。
Ｓ７において、音情報解析部５１は、周波数情報記憶部３２の情報を参照して、Ｓ６の解析結果に一致又は類似するものを判別する。
Ｓ８において、音情報解析部５１は、Ｓ３で取得した音情報を音圧解析する。音情報解析部５１は、音圧の出力帯域に応じて、「大、中、小」のいずれであるかを判定する。この判定基準は、記憶部３０に記憶されている。
【００３１】
Ｓ９において、シーン判定部５２ａは、撮影条件設定記憶部３４の設定テーブル４０を参照して、Ｓ２〜Ｓ８の処理で求めた各情報に基づいて、撮影シーンを判定する。
例えば、図２に示すように、被写体が１人の人物であり、カメラ２０の近く（例えば３ｍ以内）に存在し、この人物の話し声をマイク２４が検出した場合には、
・被写体距離検出（Ｓ２）：近い
・音源数（Ｓ５）：１つ
・周波数（Ｓ７）：人
・音圧（Ｓ８）：大（近い）
と判定される。
シーン判定部５２ａは、設定テーブル４０を参照して、これらの組み合わせに該当する撮影シーンが列４４の「ポートレート」であると判定する。
【００３２】
なお、これらの情報のうち、被写体距離に関する情報は、被写体距離検出部１３に係る被写体距離（行４１ａ）と、音圧（行４１ｄ）に係るものとの２つがある。
ここで、一般的に、被写体距離検出部１３は、検出精度がそれほど高いものではない。特に、望遠になる程、検出精度が粗くなっていく傾向がある。このため、被写体距離に関する情報を撮影シーンの判定時に、利用しないようにしてもよい。また、被写体距離に関する情報は、音圧による検出を優先的に適用して、被写体距離検出よる検出を補佐的に利用することもできる。
さらに、例えば、両者の誤差が所定以上である場合には、撮影者がフォーカスポイント２２ａを選択できるようにしてもよい。この場合には、操作部２１の操作に応じて、制御部５０がフォーカスポイント２２ａ（２２ａ−１〜２２ａ−９）の選択操作を受け付ければよい。
【００３３】
Ｓ１０において、フォーカスポイント設定部５２ｃは、フォーカスポイント音源位置記憶部３３を参照して、Ｓ４で求めた音源が、いずれの領域にあるかを判定する。
例えば、図２に示す例では、領域２２ｂ−２に音源があると判定される。
【００３４】
Ｓ１１において、シャッタスピード絞り設定部５２ｂは、撮影条件設定記憶部３４の設定テーブル４０を参照して、撮影パラメータを設定する。
まず、シャッタスピード絞り設定部５２ｂは、撮影パラメータとして、露出つまり絞り値及びシャッタスピードを、Ｓ９で判定した撮影シーンに対応した撮影パラメータに設定する。例えば、前述の「ポートレート」の例では、シャッタスピード絞り設定部５２ｂは、設定テーブル４０を参照して、絞り優先モード、つまり被写界深度を優先するように、露出（絞り値、シャッタスピード）を設定する。
【００３５】
次に、フォーカスポイント設定部５２ｃは、撮影パラメータとして、フォーカスポイント２２ａを、Ｓ１０で判定した音源位置に対応したものを選択して、設定する。
例えば、図２に示す例では、フォーカスポイント設定部５２ｃは、フォーカスポイント２２ａ−２を選択、設定する。
【００３６】
Ｓ１２において、制御部５０は、レリーズボタン２１ａの出力に基づいて、撮影者によってレリーズボタン２１ａが全押しされたか否かを判定する。制御部５０は、レリーズボタン２１ａが全押しされたと判定した場合には（Ｓ１２：ＹＥＳ）、Ｓ１３に進む。一方、制御部５０は、所定時間（例えば１０秒程度）、レリーズボタン２１ａが操作されなかったり、操作部２１の操作によって撮影がキャンセルされた場合等には、Ｓ１からの処理を繰り返す。
【００３７】
Ｓ１３において、制御部５０は、Ｓ１１で設定した撮影パラメータに従って、撮影を実行する。すなわち、制御部５０は、Ｓ１１で設定したフォーカスポイント２２ａに合焦するように、フォーカスレンズ１１を駆動させる。そして、制御部５０は、ミラーを撮影光路から退避させて、Ｓ１１で設定した露出に従って、絞り１４、シャッタ２６を駆動する。
なお、フォーカスレンズ１１の駆動は、フォーカスポイント２２ａを設定したＳ１１の時点で行ってもよい。
制御部５０は、撮像素子２７から撮像情報を取得して、記憶部３０に記憶させると、Ｓ１４に進んで、一連の処理を終了する。
【００３８】
以上の処理によって、カメラ２０は、撮影者の意向に沿った撮影シーンを選択し、これに適した撮影パラメータを設定できる。
例えば、前述のポートレートの場合、被写体となる人物にフォーカスポイント２２ａ−２を設定して、被写界深度を優先した露出を設定して撮影できる。
【００３９】
また、テニスの対戦試合を撮影する場合には、テニスボールがラケットに跳ね返される音が、テニスコートの２箇所から聞こえる状況が想定される。
図３の列４９のように、このような状況では、音情報解析部５１は、
・被写体距離検出：遠い
・音源：２（２人の選手）
・周波数：テニスボール
・音圧：小
と判定するため、シーン判定部５２ａは、撮影シーンとして「スポーツ」を選択する。そして、シャッタスピード絞り設定部５２ｂは、被写体の動きが速い撮影に適したシャッタスピードを優先した撮影パラメータを設定する。
一方、フォーカスポイント設定部５２ｃは、２点フォーカスを選択し音源である２人の選手に、それぞれフォーカスポイント２２ａを設定する。
【００４０】
以上説明したように、実施形態の交換レンズ１０及びカメラ２０は、以下の効果を奏する。
（１）撮影画角内の音情報に基づいて撮影シーンを判定するので、撮影シーンをより正確に判定でき、また、撮影者の意向に沿った撮影条件を設定できる。
（２）撮影画角内の音情報の周波数に基づいて、被写体の種類や被写界の状況等を判定して、被写体の種類等に対応した撮影条件を設定できる。
【００４１】
（３）撮影画角内の音情報の音圧に基づいて、被写界の状況を判定したり、被写体距離を判定できるため、撮影シーンを正確に判定できる。
（４）被写体距離検出部１３の検出情報と、マイク２４の検出情報とに基づいて撮影条件を設定するので、音情報に加え、被写体距離検出部１３の検出情報を利用して、撮影シーンを正確に判定できる。
【００４２】
（５）音源数に応じて被写界の状況を判定し、撮影状況に対応した撮影パラメータを設定できる。
（６）音源が存在する領域２２ｂに対応したフォーカスポイント２２ａを設定するので、フォーカスポイント２２ａを正確に設定できる。
【００４３】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４４】
（変形形態）
（１）本実施形態において、撮影パラメータは、シャッタスピード、絞り値、フォーカスポイントである例を示したが、これに限定されない。例えば、音圧（被写体距離）に応じて、ストロボの光量等を増減させてもよい。
【００４５】
（２）本実施形態において、設定テーブル４０の情報は、カメラ２０の製造時に記憶された例を示したが、これに限定されない。例えば、撮影者がよく撮影する被写体の周波数情報等を追加して、設定テーブル４０の情報を編集できるようにしてもよい。この場合には、撮影者が操作部２１を操作して、制御部５０が操作情報に応じて、設定テーブル４０の内容を書き換えればよい。これにより、撮影者は、好みの撮影シーンに合わせた設定テーブル４０を作成でき、また、制御部５０は、より正確にシーン判定できる。
【００４６】
（３）本実施形態において、マイク２４が撮影画角を走査して、撮影画角内の複数の領域からの音情報を検出する例を示したが、これに限定されない。例えば、複数のマイクを設け、これらが、それぞれ撮影画角内の複数の領域から音情報を検出するようにしてもよい。
【符号の説明】
【００４７】
１０…交換レンズ    １１…フォーカスレンズ    １３…被写体距離検出部    ２０…カメラ    ２１…操作部    ２２…ファインダスクリーン    ２２ａ（２２ａ−１〜２２ａ−９）…フォーカスポイント    ２３…測光センサ    ２４…マイク    ２５…デフォーカス量検出部    ２７…撮像素子    ３０…記憶部    ３１…被写体距離記憶部    ３２…周波数情報記憶部    ３３…フォーカスポイント音源位置記憶部    ３４…撮影条件設定記憶部    ４０…設定テーブル    ５０…制御部    ５１…音情報解析部    ５２…撮影条件設定部    ５２ａ…シーン判定部    ５２ｂ…シャッタスピード絞り設定部    ５２ｃ…フォーカスポイント設定部
【図１】
2013178433.tif 000003
【図２】
2013178433.tif 000004
【図３】
2013178433.tif 000005
【図４】
2013178433.tif 000006